(57)【要約】【課題】リサイクル原料の利用を可能としながら、衛生面での向上をも図ることのできるキャップを提供すること。【解決手段】容器口部Ｍの先端部分に当接して該先端部分の開口を覆う天板部２及びこの天板部２の下面から下降するように延びて前記容器口部Ｍの内周面に密着可能な略筒状のインナーリング３を有するパッキン４と、前記パッキン４を覆う状態で前記容器口部Ｍに螺着するシェル５とを具備し、前記シェル５のリサイクル原料の含有率が、前記パッキン４のリサイクル原料の含有率を上回るようにした。【選択図】図１
2020142835.tif 000002
【特許請求の範囲】
【請求項１】
容器口部の先端部分に当接して該先端部分の開口を覆う天板部及びこの天板部の下面から下降するように延びて前記容器口部の内周面に密着可能な略筒状のインナーリングを有するパッキンと、前記パッキンを覆う状態で前記容器口部に螺着するシェルとを具備し、
前記シェルのリサイクル原料の含有率が、前記パッキンのリサイクル原料の含有率を上回るようにしたキャップ。
【請求項２】
前記パッキンは、石油由来原料、植物由来原料又は生分解性原料を用いて形成されている請求項１に記載のキャップ。
【請求項３】
前記パッキンより前記シェルの剛性を高めてある請求項１または２に記載のキャップ。
【発明の詳細な説明】
【技術分野】
【０００１】
本発明は、例えば、飲料用及び食品用の容器などの容器口部に装着されるキャップに関する。
【背景技術】
【０００２】
従来、リサイクル活動の一環として、リサイクルごみ（資源ごみ）の回収が行われ、その再利用が図られている。
【発明の概要】
【発明が解決しようとする課題】
【０００３】
斯かる観点から、合成樹脂製キャップにもリサイクル原料を利用することが望ましいといえるが、特に飲料用及び食品用の容器などの容器口部に装着されるキャップにリサイクル原料を使用した場合、容器の内容物がそのキャップに接触することにつき、衛生上の懸念がある。
【０００４】
本発明は上述の事柄に留意してなされたもので、その目的は、リサイクル原料の利用を可能としながら、衛生面での向上をも図ることのできるキャップを提供することにある。
【課題を解決するための手段】
【０００５】
上記目的を達成するために、本発明に係るキャップは、容器口部の先端部分に当接して該先端部分の開口を覆う天板部及びこの天板部の下面から下降するように延びて前記容器口部の内周面に密着可能な略筒状のインナーリングを有するパッキンと、前記パッキンを覆う状態で前記容器口部に螺着するシェルとを具備し、前記シェルのリサイクル原料の含有率が、前記パッキンのリサイクル原料の含有率を上回るようにした（請求項１）。
【０００６】
上記キャップにおいて、前記パッキンは、石油由来原料、植物由来原料又は生分解性原料を用いて形成されていてもよい（請求項２）。
【０００７】
上記キャップにおいて、前記パッキンより前記シェルの剛性を高めてあってもよい（請求項３）。
【発明の効果】
【０００８】
本願発明では、リサイクル原料の利用を可能としながら、衛生面での向上をも図ることのできるキャップが得られる。
【０００９】
すなわち、本願の各請求項に係る発明のキャップでは、少なくともシェルにリサイクル原料を含めるので、リサイクル原料の利用が可能となり、また、容器の内容物に接し得るパッキンにはリサイクル原料を含めないか、あるいはその含有率を抑えることにより、衛生面での向上をも図ることができる。
【００１０】
請求項２に係る発明のキャップでは、パッキンに石油由来原料を用いれば、石油由来原料は一般に安価に入手可能であるので製造コストの低減を図ることができ、植物由来原料又は生分解性原料を用いれば、環境負荷の低減を図ることができる。
【００１１】
請求項３に係る発明のキャップでは、パッキンよりシェルの剛性を高める、つまり、シェルの剛性を高めつつ、パッキンを柔軟にすることにより、容器口部にパッキンを良好に密着させ、その外側からシェルでパッキンを強力に押さえ込むことにより、容器口部の密封性を高める、といったことが可能となる。
【図面の簡単な説明】
【００１２】
【図１】容器口部に装着した本発明の一実施の形態に係るキャップの状態を示す縦断面図である。
【発明を実施するための形態】
【００１３】
本発明の実施の形態について図面を参照しながら以下に説明する。
【００１４】
図１に示すキャップ１は、容器（例えばペットボトル）の口部Ｍの先端部分に当接して該先端部分の開口を覆う天板部２及びこの天板部２の下面から下降するように延びて容器口部Ｍの内周面に密着可能な略筒状のインナーリング３を有するパッキン４と、パッキン４を覆う状態で容器口部Ｍに螺着するシェル５とを具備した合成樹脂製キャップである。
【００１５】
また、キャップ１はタンパーエビデンスキャップであり、シェル５は、パッキン４を上方から覆う天壁６と、この天壁６の周縁から下方に向かって延びる筒状壁７と、筒状壁７の下方に破断可能なブリッジ８を介して連設されたタンパーエビデンスバンド（以下、「バンド」と略称する）９とを有する。
【００１６】
すなわち、筒状壁７の内周面には、容器口部Ｍの外周に設けられた雄ねじＭ１に螺合する雌ねじ１０が形成され、そのねじ結合によって容器口部Ｍに装着されたキャップ１の開栓の際にバンド９が容器口部Ｍから離脱しないように、バンド９の内側には容器口部Ｍの外周面における雄ねじＭ１の下方に設けられた環状突起（ビード部）Ｍ２に係合するフラップ（係合片）１１が設けられている。従って、最初の開栓の際に、容器口部Ｍから離脱するシェル５と離脱しないバンド９とをつなぐブリッジ８は破断する。
【００１７】
そして、パッキン４及びシェル５は、例えばインジェクション成形またはコンプレッション成形により成形されるのであり、本例では、容器の内容物に接しないシェル５はリサイクル原料を含み、容器の内容物に接し得るパッキン４はリサイクル原料を含まないようにしてある。
【００１８】
シェル５に含めるリサイクル原料としては、例えば再生ポリオレフィン系樹脂が挙げられ、本例では再生ポリプロピレン樹脂を用いる。シェル５に用いるリサイクル原料の含有率は、例えば１００％としてもよいし、それ以下としてもよく、リサイクル原料以外の原料としては、例えばポリオレフィン系樹脂が挙げられる。
【００１９】
一方、本例では、パッキン４にリサイクル原料を含めないのであり、パッキン４の原料としては、石油由来原料（例えばポリエチレン、ポリプロピレン等）、植物由来原料（例えばブラスケム社製のグリーンポリエチレンに属する各種ポリエチレン樹脂等）又は生分解性原料を挙げることができ、本例では、バイオエタノール由来のＨＤＰＥ１００％のパッキン４としてある。
【００２０】
上記の構成からなるキャップ１では、シェル５にリサイクル原料を含めるので、リサイクル原料の利用が可能となり、また、容器の内容物に接し得るパッキン４にはリサイクル原料を含めないことにより、衛生面での向上をも図ることができる。
【００２１】
また、パッキン４に石油由来原料を用いれば、石油由来原料は一般に安価に入手可能であるので製造コストの低減を図ることができ、植物由来原料又は生分解性原料を用いれば、環境負荷の低減を図ることができる。
【００２２】
さらに、パッキン４よりシェル５の剛性を高めれば（シェル５の剛性を高めつつ、パッキン４を柔軟にすれば）、容器口部Ｍにパッキン４を良好に密着させ、その外側からシェル５でパッキン４を強力に押さえ込むことにより、容器口部Ｍの密封性を高める、といったことが可能となる。
【００２３】
なお、本発明は、上記の実施の形態に何ら限定されず、本発明の要旨を逸脱しない範囲において種々に変形して実施し得ることは勿論である。例えば、以下のような変形例を挙げることができる。
【００２４】
上記実施の形態では、パッキン４にリサイクル原料を含めないとしたが、衛生面等で問題が無い範囲で含めるようにしてもよい。ただし、この場合でも、シェル５のリサイクル原料の含有率が、パッキン４のリサイクル原料の含有率を上回るようにするのが好ましい。
【００２５】
本発明のキャップ１は、パッキン４とシェル５を有するものであればよく、その構成は図１に示すものに限定されない。例えば図１の例では、フラップ（バンド９の下側部分を内側に折り返した構造のもの）１１を設けてあるが、このフラップ１１のかわりにフック（バンド９の内周側に突出する部分を設けた構造のもの）を設けて容器口部Ｍの環状突起Ｍ２に係合させるようにしてもよい。
【００２６】
本明細書で挙げた変形例どうしを適宜組み合わせてもよいことはいうまでもない。
【符号の説明】
【００２７】
１    キャップ
２    天板部
３    インナーリング
４    パッキン
５    シェル
６    天壁
７    筒状壁
８    ブリッジ
９    タンパーエビデンスバンド
１０    雌ねじ
１１    フラップ
Ｍ    容器口部
Ｍ１  雄ねじ
Ｍ２  環状突起
【図１】
2020142835.tif 000003